(57)【特許請求の範囲】
【請求項１】
患者が呼出握りボタン（１）を押したとき呼出スイッチ（１１）のスイッチングにより呼出種別（Ａ、Ｂ）に対応した２個の呼出し検出回路（２Ａ、２Ｂ）を選択的に動作させ、ナースコール親機（３）にて前記呼出種別毎で異なる呼出音を発呼するナースコール装置であって、
前記呼出し握りボタンは、呼出種別（Ａ）に対応した第１の呼出スイッチ（１１Ａ）をスイッチングする第１の呼出握りボタン部（１０Ａ）と、呼出種別（Ｂ）に対応した第２の呼出スイッチ（１１Ｂ）をスイッチングする第２の呼出握りボタン部（１０Ｂ）と、前記第１の呼出握りボタン部の一部を形成すると共に前記第２の呼出握りボタン部を覆って前記第２の呼出握りボタン部を押そうとするとき開成自在の呼出スイッチカバー（１０Ｍ）と、前記呼出スイッチカバーを開放させるための押ボタン（１２）とを設け、
前記２個の呼出し検出回路は、前記第２の呼出スイッチのスイッチングを検出するための第２の呼出検出回路（２Ｂ）と、前記第１の呼出スイッチのスイッチングおよび第２の呼出スイッチのスイッチングをそれぞれ検出するための第１の呼出検出回路（２Ａ）とで構成され、
第１の呼出スイッチおよび第２の呼出スイッチは、前記第１の呼出し握りボタン部が押されたとき、前記第１の呼出スイッチのスイッチングにより前記第１の呼出検出回路が動作され、前記押ボタンを押した後に第２の呼出し握りボタン部が押されたとき順次、前記第２の呼出スイッチのスイッチングおよび前記第１の呼出スイッチのスイッチングにより、前記第１の呼出検出回路および前記第２の呼出検出回路が動作されるように縦設されていることを特徴とするナースコール装置。
【発明の詳細な説明】
【０００１】
【発明の属する技術分野】
【０００２】
この発明はナースコール装置に関し、特に２種類の呼出しを１個の呼出握りボタンで行うナースコール装置に係わる。
【従来の技術】
【０００３】
従来、図３（ｂ）に示すように、ナースコール装置は、患者が操作する呼出握りボタン１が、病室の子機プレート２に接続され、子機プレート２は、順次集合廊下灯５、制御機６を経てナースコール親機３に接続されている。
【０００４】
患者が、緊急呼出し（呼出しＡとする）と、トイレにいきたいので来て欲しい等（呼出しＢとする）、２種類の異なる呼出しをナースコール親機３に送信するため、同図に示すように、２個をセットにした呼出握りボタン１Ａ、１Ｂが子機プレート２に接続され、呼出握りボタン１Ａには呼出握りボタン部１０Ａが、呼出握りボタン１Ｂには呼出握りボタン部１０Ｂが、それぞれ設けられている。
【０００５】
図３（ａ）に表すように呼出握りボタン１Ａは呼出スイッチ１１Ａを備え、呼出スイッチ１１Ａは子機プレート２の呼出検出回路２Ａに接続され、呼出握りボタン１Ｂは呼出スイッチ１１Ｂを備え、呼出スイッチ１１Ｂは子機プレート２の呼出検出回路２Ｂに接続されている。また、呼出検出回路２Ａおよび呼出検出回路２ＢはＣＰＵ２０に接続されている。
【０００６】
子機プレート２のＣＰＵ２０は、集合廊下灯５のＣＰＵ５０に接続され、集合廊下灯５のＣＰＵ５０は、制御機６のＣＰＵ６０に接続され、制御機６のＣＰＵ６０は、ナースコール親機３のＣＰＵ３０に接続されている。
【０００７】
呼出握りボタン１Ａの呼出握りボタン部１０Ａを押すと、呼出スイッチ１１Ａがオンされ子機プレート２の呼出検出回路２Ａによって、呼出しＡが検出され、信号は子機プレート２のＣＰＵ２０に送られる。ＣＰＵ２０から集合廊下灯５のＣＰＵ５０に信号が送られ、ＣＰＵ５０から制御機６のＣＰＵ６０に信号が送られ、ＣＰＵ６０からナースコール親機３のＣＰＵ３０に信号が送られて、ナースコール親機３は、呼出しＡに相当する音（例えば、ルルルル）を発呼する。
【０００８】
また、呼出握りボタン１Ｂの呼出握りボタン部１０Ｂを押すと、呼出スイッチ１１Ｂがオンされ子機プレート２の呼出検出回路２Ｂによって、呼出しＢが検出され、信号は子機プレート２のＣＰＵ２０に送られる。以下、上述と同様の動作を経てナースコール親機３は、呼出しＢに相当する音（例えば、プルプル）を発呼する。
【発明が解決しようとする課題】
【０００９】
ところで、従来のナースコール装置では、２種類の異なる呼出し（呼出しＡと呼出しＢ）を実現するために、子機プレート２に２個の呼出握りボタン１Ａ、１Ｂを用意しなければならないという難点があった。このため、患者の手元は手狭になり、呼出握りボタンと子機プレート２間のケーブルが余分に必要で邪魔であった。
【００１０】
本発明は上記のような従来の欠点を除去するためになされたもので、２種類の異なる呼出しを、１個の呼出握りボタンで可能とするナースコール装置を提供することを目的とする。
【課題を解決するための手段】
【００１１】
以上の目的を達成するために、本発明のナースコール装置は、患者が呼出握りボタンを押したとき呼出スイッチのスイッチングにより呼出種別（Ａ、Ｂ）に対応した２個の呼出し検出回路を選択的に動作させ、ナースコール親機にて呼出種別毎で異なる呼出音を発呼するナースコール装置である。
【００１２】
呼出し握りボタンは、呼出種別（Ａ）に対応した第１の呼出スイッチをスイッチングする第１の呼出握りボタン部と、呼出種別に対応した第２の呼出スイッチをスイッチングする第２の呼出握りボタン部と、第１の呼出握りボタン部の一部を形成すると共に第２の呼出握りボタン部を覆って第２の呼出握りボタン部を押そうとするとき開成自在の呼出スイッチカバーと、呼出スイッチカバーを開放させるための押ボタンとを設けている。
【００１３】
２個の呼出し検出回路は、第２の呼出スイッチのスイッチングを検出するための第２の呼出検出回路と、第１の呼出スイッチのスイッチングおよび第２の呼出スイッチのスイッチングをそれぞれ検出するための第１の呼出検出回路とで構成されている。
【００１４】
第１の呼出スイッチおよび第２の呼出スイッチは、第１の呼出し握りボタン部が押されたとき、第１の呼出スイッチのスイッチングにより第１の呼出検出回路が動作され、押ボタンを押した後に第２の呼出し握りボタン部が押されたとき順次、第２の呼出スイッチのスイッチングおよび第１の呼出スイッチのスイッチングにより、第１の呼出検出回路および第２の呼出検出回路が動作されるように縦設されている。
【００１５】
このナースコール装置によれば、呼出握りボタンは、第１の呼出スイッチをスイッチングする第１の呼出握りボタン部と、第２の呼出スイッチをスイッチングする第２の呼出握りボタン部と、第１の呼出握りボタン部の一部を形成すると共に第２の呼出握りボタン部を覆って第２の呼出握りボタン部を押そうとするとき開成自在の呼出スイッチカバーとを備えており、第１の呼出スイッチおよび第２の呼出スイッチは縦設され、第２の呼出握りボタン部が押されたとき順次、前記第２の呼出スイッチのスイッチング、第１の呼出スイッチのスイッチングにより第１の呼出検出回路および第２の呼出検出回路が動作されるので、１個の呼出握りボタンで２種類の異なる呼出しが可能となる。
【発明の実施の形態】
【００１６】
以下に、本発明によるナースコール装置の実施例を図面を参照して詳述する。
【００１７】
本発明によるナースコール装置は、図１（ａ）に示すように、患者が操作する呼出握りボタン１が、病室の子機プレート２に接続され、子機プレート２は、順次、集合廊下灯５、制御機６を経てナースコール親機３に接続されている。
【００１８】
患者は、緊急呼出し（呼出しＡとする）と、トイレにいきたいので来て欲しい等（呼出しＢとする）をナースコール親機３に送信する異なる２種類の呼出要求を持つ。
【００１９】
本発明によるナースコール装置は、呼出握りボタン１を押したとき、呼出スイッチ１１のスイッチングにより２個の呼出検出回路２Ａ、２Ｂを選択的に動作させ、ナースコール親機３に異なる呼出音を送出するナースコール装置である。
【００２０】
図１（ａ）、（ｂ）に示すように、呼出握りボタン１には、第１の呼出スイッチ１１Ａをスイッチングする第１の呼出握りボタン部１０Ａと、この呼出握りボタン部１０Ａに内設され第２の呼出スイッチ１１Ｂをスイッチングする第２の呼出握りボタン部１０Ｂとが設けられている。
【００２１】
図１（ｂ）、（ｃ）に示すように、第１の呼出握りボタン部１０Ａは、第２の呼出握りボタン部１０Ｂを覆って第２の呼出握りボタン部１０Ｂを押そうとするとき開成自在の呼出スイッチカバー１０Ｍと、呼出スイッチカバー１０Ｍと係合する第１の呼出握りボタン下部１０Ｎとからなり、呼出スイッチカバー１０Ｍと第１の呼出握りボタン下部１０Ｎとは、蝶番１０Ｔで連結されている。
【００２２】
図１（ｃ）、図２に示すように、第１の呼出スイッチ１１Ａおよび第２の呼出スイッチ１１Ｂは、第２の呼出握りボタン部１０Ｂが押されたとき順次、第２の呼出スイッチ１１Ｂのスイッチング、第１の呼出スイッチ１１Ａのスイッチングにより第１の呼出検出回路２Ａおよび第２の呼出検出回路２Ｂが動作されるように、呼出握りボタン１の長手方向に縦設されている。
【００２３】
また、図２に示すように、呼出握りボタン１の側壁には、呼出スイッチカバー１０Ｍを開放させる押ボタン１２が配設されている。この押ボタン１２は、呼出握りボタン１の内部に延設された柱部１２Ｐと、柱部１２Ｐの上部において呼出スイッチカバー１０Ｍに当接される当接部１２Ａとからなり、当接部１２Ａでは、下部が呼出握りボタン１の内部方向に削られた傾斜面１２Ｓをなし、当接される呼出スイッチカバー１０Ｍ側は、下部が呼出握りボタン１の内部方向に張り出した傾斜面１０Ｓをなしている。押ボタン１２の柱部１２Ｐの下端にはばね１４Ｃを介して係止片１５が呼出握りボタン１の側壁から延設されている。
【００２４】
第１の呼出スイッチ１１Ａが搭載され、リード線１９Ａが接続された基板１３Ａは、呼出握りボタン１の側壁から延設された凸部１６によって固定され、第１の呼出スイッチ１１Ａの周囲にはばね１４Ａが配設され、このばね１４Ａの上に、第１の呼出握りボタン部１０Ａの底面１０Ｋが支持されている。
【００２５】
さらに、第２の呼出スイッチ１１Ｂが搭載され、リード線１９Ｂが接続された基板１３Ｂは、第１の呼出握りボタン部１０Ａの底面１０Ｋによって支持され、第２の呼出スイッチ１１Ｂの周囲にはばね１４Ｂが配設され、このばね１４Ｂの上に、第１の呼出握りボタン部１０Ｂが支持されている。
【００２６】
基板１３Ａ、１３Ｂ、第１の呼出握りボタン部１０Ａの底面１０Ｋ、第１の呼出握りボタン部１０Ｂは、柱部１２Ｐが矢印Ｑ方向に移動可能な空隙をそれぞれ有している。
【００２７】
本発明によるナースコール装置の動作を以下に説明する。
【００２８】
呼出握りボタン１の第１の呼出握りボタン部１０Ａを押すと、図２に示すように、第１の呼出スイッチ１１Ａがオンされ、図１（ａ）に示すように、子機プレート２の呼出検出回路２Ａによって、呼出しＡが検出され、信号は子機プレート２のＣＰＵ２０に送られる。ＣＰＵ２０から集合廊下灯５のＣＰＵ５０に信号が送られ、ＣＰＵ５０から制御機６のＣＰＵ６０に信号が送られ、ＣＰＵ６０からナースコール親機３のＣＰＵ３０に信号が送られて、ナースコール親機３は、呼出しＡに相当する音（例えば、ルルルル）を発呼する。
【００２９】
また、押ボタン１２を押すと（矢印Ｐ）、柱部１２Ｐがばね１４Ｃの張力に抗して矢印Ｑ方向に移動し、傾斜面１２Ｓと傾斜面１０Ｓ間の係止がはずれ、呼出スイッチカバー１０Ｍが蝶番１０Ｔを軸に開放されるので（矢印Ｒ）、内接される第２の呼出握りボタン部１０Ｂを押すことが可能になる。第２の呼出握りボタン部１０Ｂを押すと、図２に示すように、第２の呼出スイッチ１１Ｂがオンされる。このとき、第２の呼出スイッチ１１Ｂと縦設された第１の呼出スイッチ１１Ａも順次オンされる。図１（ａ）に示される、子機プレート２の呼出検出回路２Ａ、２Ｂがそれぞれ、呼出しＡ、呼出しＢを検出し、信号は子機プレート２のＣＰＵ２０に送られる。
【００３０】
子機プレート２のＣＰＵ２０は、呼出検出回路２Ａ、２Ｂから信号がくるので呼出しＢと判断し、集合廊下灯５のＣＰＵ５０に信号を送る。以下、上述と同様の動作を経てナースコール親機３は、呼出しＢに相当する音（例えば、プルプル）を発呼する。
【００３１】
操作としては、第１の呼出握りボタン部１０Ａを押すか、押ボタン１２を押して内接された第２の呼出握りボタン部１０Ｂを押すかによって、１個の呼出握りボタンで２種類の異なる呼出しを行うことができる。
【発明の効果】
【００３２】
以上のように、本発明のナースコール装置では、呼出握りボタンは、第１の呼出スイッチをスイッチングする第１の呼出握りボタン部と、第２の呼出スイッチをスイッチングする第２の呼出握りボタン部と、第１の呼出握りボタン部の一部を形成すると共に第２の呼出握りボタン部を覆って第２の呼出握りボタン部を押そうとするとき開成自在の呼出スイッチカバーとを設けており、第１の呼出スイッチおよび第２の呼出スイッチは縦設され、第２の呼出握りボタン部が押されたとき順次、前記第２の呼出スイッチのスイッチング、第１の呼出スイッチのスイッチングにより第１の呼出検出回路および第２の呼出検出回路が動作されるので、２種類の異なる呼出しは、１個の呼出握りボタンで可能となり、患者の手元も、病室内も整理される。
【図面の簡単な説明】
【図１】  （ａ）は本発明によるナースコール装置を説明する構成図、（ｂ）および（ｃ）は要部説明図である。
【図２】  本発明によるナースコール装置の要部拡大説明図である。
【図３】  （ａ）、（ｂ）は、従来のナースコール装置を説明する図である。
【符号の説明】
Ａ、Ｂ・・・呼出種別
１・・・呼出握りボタン
２Ａ・・・第１の呼出検出回路
２Ｂ・・・第２の呼出検出回路
３・・・ナースコール親機
１０Ａ・・・第１の呼出握りボタン部
１０Ｂ・・・第２の呼出握りボタン部
１０Ｍ・・・呼出スイッチカバー
１１・・・呼出スイッチ
１１Ａ・・・第１の呼出スイッチ
１１Ｂ・・・第２の呼出スイッチ
１２・・・押ボタン
【図１】
0003968154.tif 000002
【図２】
0003968154.tif 000003
【図３】
0003968154.tif 000004